(57)【特許請求の範囲】
【請求項１】
通信手段を有する通信機器であって、
通信相手毎の優先順位を示す優先順位情報を記憶する優先順位記憶手段と、
前記通信手段を介した通信相手との通信情報とともに当該通信相手の優先順位情報を記録する通信情報記録手段と、
前記通信相手との通信の際に、当該通信相手の優先順位を前記優先順位記憶手段より判別する優先順位判別手段と、
前記優先順位判別手段により判別された当該通信相手の優先順位よりも低い優先順位を示す優先順位情報とともに記録されている通信情報が存在する場合に、その通信情報と優先順位情報とに、当該通信相手との通信情報と優先順位情報とを上書き記録し、存在しない場合に、当該通信相手との通信情報と優先順位情報とを記録しないように制御する記録制御手段と、
を具備することを特徴とする通信機器。
【発明の詳細な説明】
【０００１】
【発明の属する技術分野】
本発明は、発信者のメッセージを記憶する留守番機能を有する通信機器に関する。
【０００２】
【従来の技術】
従来より、電話機、ＰＨＳや携帯電話等の通信機器においては、不在や電話をとれないような状況で着信した場合、発信者のメッセージ（音声、文字等）を半導体メモリや磁気テープ等に記憶し、後で再生する留守番機能を備えるものがある。上記通信機器では、留守番モードに設定されているときに着信があると、自動的に回線を接続し、相手へ所定の応答メッセージ（音声メッセージを残すよう催促する応答メッセージ等）を送信した後、相手からのメッセージを半導体メモリや磁気テープに録音するようになっている。
【０００３】
【発明が解決しようとする課題】
ところで、従来の通信機器では、記憶用の半導体メモリが全て記憶され、これ以上記憶できない場合には、その旨を通知する応答メッセージを相手に送信し、回線を切断してしまうので、例えば、メッセージを必ず記憶しておきたい相手からの電話であっても、記憶できずに終話してしまい、メッセージを記憶することができないという問題があった。
【０００４】
また、磁気テープに記憶する場合には、同一発信者が同じ内容を複数回記憶する場合や、状況の変化によって、古い記憶内容が無効となり、新しい記憶内容しか有効な情報となり得ない場合であっても、再生時には、時系列でしか再生できないため、無効となった古い記憶内容を聞かなければならないという問題があった。
【０００５】
そこで本発明は、通信相手からの通信情報に対する記録を適切に制御することを目的とする。
【０００６】
【課題を解決するための手段】
上記目的達成のため、請求項１記載の発明による通信機器は、通信手段を有する通信機器であって、通信相手毎の優先順位を示す優先順位情報を記憶する優先順位記憶手段と、前記通信手段を介した通信相手との通信情報とともに当該通信相手の優先順位情報を記録する通信情報記録手段と、前記通信相手との通信の際に、当該通信相手の優先順位を前記優先順位記憶手段より判別する優先順位判別手段と、前記優先順位判別手段により判別された当該通信相手の優先順位よりも低い優先順位を示す優先順位情報とともに記録されている通信情報が存在する場合に、その通信情報と優先順位情報とに、当該通信相手との通信情報と優先順位情報とを上書き記録し、存在しない場合に、当該通信相手との通信情報と優先順位情報とを記録しないように制御する記録制御手段とを具備することを特徴とする。
【００２０】
【発明の実施の形態】
以下、本発明の実施の形態を、ＰＨＳ端末および通常の電話機に適用した一実施例として、図面を参照して説明する。
Ａ．第１実施例の構成
Ａ−１．ＰＨＳ端末の構成
図１は、本発明の第１実施例によるＰＨＳ端末の構成を示すブロック図である。図において、１０は送受信部であり、受信部および送信部からなる周波数変換部と、受信部および送信部からなるモデムとから構成されている。周波数変換部の受信部は、送信／受信を振り分けるアンテナスイッチを介して入力される、アンテナＡＮＴで受信した信号を、ＰＬＬシンセサイザから出力される所定周波数の局部発振信号と混合することにより、１．９ＧＨｚ帯から１ＭＨｚ帯付近のＩＦ（中間周波）信号に周波数変換する。また、周波数変換部の送信部は、後述するモデムから供給されるπ／４シフトＱＰＳＫの変調波をＰＬＬシンセサイザから出力される所定周波数の局部発振信号と混合することにより、１．９ＧＨｚ帯に周波数変換し、アンテナスイッチを介してアンテナＡＮＴから輻射する。次に、上述したモデムの受信部は、周波数変換部からのＩＦ信号を復調し、ＩＱデータに分離してデータ列とし、通信制御部１１へ送出する。また、モデムの送信部では、通信制御部１１から供給されるデータからＩＱデータを作成して、π／４シフトＱＰＳＫの変調をして、送受信部１０の周波数変換部へ送出する。
【００２１】
次に、通信制御部１１は、送信側および受信側とで構成されており、フレーム同期およびスロットのデータフォーマット処理を行う。上記受信側は、送受信部１０のモデムから供給される受信データから所定のタイミングで１スロット分のデータを取り出し、このデータの中からユニークワード（同期信号）を抽出してフレーム同期信号を生成し、かつ、制御データ部および音声データ部のスクランブル等を解除した後、制御データを制御部１６へ送出し、音声データを音声処理部１２へ送出する。また、上記送信側は、音声処理部１２から供給される音声データに制御データ等を付加するとともに、スクランブル等を付与した後にユニークワード等を付加して、１スロット分の送信データを作成し、所定タイミングでフレーム内の所定スロットに挿入して送受信部１０のモデムに送出する。
【００２２】
次に、上述した音声処理部１２は、スピーチコーディックおよびＰＣＭコーディックで構成されている。上記スピーチコーディックは、デジタルデータの圧縮／伸張処理を行うものであり、受信側および送信側とで構成されている。受信側は、通信制御部１１から供給されるＡＤＰＣＭ音声信号（４ビット×８ＫＨｚ＝３２Ｋｂｐｓ）をＰＣＭ音声信号（８ビット×８ＫＨｚ＝６４Ｋｂｐｓ）に復号化することにより伸張してＰＣＭコーディックに出力する。送信側は、ＰＣＭコーディックから供給されるＰＣＭ音声信号をＡＤＰＣＭ音声信号に符号化することにより圧縮して通信制御部１１へ送出する。上述したＰＣＭコーディックは、アナログ／デジタル変換処理を行うものであり、受信側は、スピーチコーディックから供給されるＰＣＭ音声信号をＤ／Ａ変換によりアナログ音声信号へ変換し、スピーカ１３から出力するとともに、送信側はマイク１４から入力されたアナログ音声信号をＡ／Ｄ変換によりＰＣＭ信号に変換し、スピーチコーディックに送出する。
【００２３】
次に、キー入力部１５は、相手先の電話番号を入力する数値キーや、オンフック／オフフックを行うスイッチ、音声出力を変えるボリュームスイッチ等から構成される。これらキーやスイッチの状態は制御部１６に供給される。次に、制御部１６は、所定のプログラムに従って装置全体を制御する。ＲＯＭ１７には上記制御部１６で実行されるプログラムや、種々のパラメータ等が格納されている。また、ＲＡＭ１８には、上記制御部１６の制御に伴って生成されるデータが格納されるワーキングエリアや、留守番時の音声メッセージの記憶領域等が格納される領域として用いられるとともに、電話をかける相手先の発信先名、住所、および発信先電話番号等からなる住所録等が格納されている。なお、ＲＡＭ１８の記憶は、図示しない二次電池等からの電源により保持される。
【００２４】
次に、表示部１９は、動作モードや、電話番号、通話時間等の各種データ等を表示する液晶表示器や、スイッチ等のオン／オフ等を示すＬＥＤから構成されており、上記制御部の制御の下、各種データを表示するとともに、タッチパネルとなっており、表示したアイコン等が利用者もしくは後述するタッチペンによって指示（押下）されると、そのアイコンに割り当てられた機能が実行されるようになっている。次に、計時部２０は、所定のクロックに従って、日付および時刻をリアルタイムで計時しており、該日付および時刻を所定のタイミングで制御部１６へ供給する。この日付および時刻は、留守番モード時に、録音開始時刻を記録するために用いられる。
【００２５】
Ａ−２．呼設定メッセージの構成
次に、図２は、呼設定メッセージを説明するための概念図である。呼設定メッセージは、発呼時、着信時等に、発信側および着信側の端末（外部電話機、親機、子機）間で送受信される情報である。該呼設定メッセージは、プロトコル識別子、呼番号、メッセージ種別、他の情報要素、発番号、発サブアドレス、着番号および着サブアドレスから構成されている。本発明では、発信側のＰＨＳ端末や電話機は、上記発サブアドレスあるいは着サブアドレス（以下、サブアドレスという）に発信者情報（発信者番号（電話番号）あるいは／および名前のデータ等）を入れて発呼するようになっている。これに対して、留守番モードに設定されている着信側のＰＨＳ端末では、上記サブアドレスの発信者情報を取り出し、発信者と識別するようになっている。なお、発番号により発信者を識別するようにしてもよい。
【００２６】
Ａ−３．発信者情報テーブル
図３は、本第１実施例によるＰＨＳ端末に記憶されている発信者情報テーブルを説明するための概念図である。図において、ＰＨＳ端末は、留守番モードに設定されている場合に必ず音声メッセージを録音したい相手の発信者情報（電話番号または名前）を、適宜、使用者によって設定可能な発信者情報テーブル３０として記憶している。ＰＨＳ端末は、当該端末が留守番モードに設定されている場合、上述した呼設定メッセージのサブアドレスに入れられている発信者情報を取り出し、該発信者番号が上記発信者情報テーブル３０にあると、その相手に対し、音声メッセージを入力するように、応答メッセージＢを送信し、相手が入力した音声メッセージをデジタル音声データに変換した後、所定の記憶領域（ＲＡＭ１８）に計時部２０で計時した時刻とともに記憶する。
【００２７】
Ａ−４．音声メッセージ録音領域
図４は、本第１実施例によるＰＨＳ端末で、留守番モード時に録音した音声メッセージの録音領域を説明するための概念図である。図において、録音領域３１は、例えば、ＲＡＭ１８に設けられており、録音した時刻順に、発信者情報Ｎi（ｉ＝１，２，…）、録音開始時刻、音声メッセージが記憶される。ＰＨＳ端末は、音声メッセージを録音する際、録音領域３１に空きがあれば、そのまま空き領域に新たに録音する一方、録音領域３１に空きがなければ、過去の音声メッセージ（留守番モードに設定されてから現在までの間に録音された音声メッセージ）を検索し、最も古いデータに上書きするようになっている。これにより、上述した発信者情報テーブル３０に設定された相手からの着信があった場合には、その相手の音声メッセージを必ず録音することができる。
【００２８】
Ｂ．第１実施例の動作
次に、上述した第１実施例によるＰＨＳ端末の動作について説明する。なお、以下の説明では、通話に伴う各部の動作については通常の端末の動作と同様であるので説明を省略する。
【００２９】
Ｂ−１．第１の動作例
ここで、図５は、本第１実施例によるＰＨＳ端末の第１の動作例の動作を説明するためのフローチャートである。まず、ステップＳ１０で、着信したか否かを判断し、着信すると、ステップＳ１２で、呼設定メッセージから発信者番号を取得する。次に、ステップＳ１４で、上記発信者番号が発信者情報テーブル３０に登録されているか否かを判断し、登録されていなければ、ステップＳ１６に進み、応答メッセージＡ（例えば、「現在、電話に出られません」）を相手に送信する。そして、ステップＳ３４で、回線を切断し、当該処理を終了する。このように、発信者情報テーブル３０に登録されていない相手からの電話に対しては、音声メッセージを録音することなく、回線を切断する。
【００３０】
一方、呼設定メッセージのサブアドレスから取りだした発信者番号が発信者情報テーブル３０に登録されていれば、ステップＳ１８に進み、音声メッセージ録音領域３１に空き領域があるか否かを判断し、空き領域があれば、ステップＳ２０に進み、音声メッセージの書き込みアドレスに空き領域の先頭アドレスをセットする。そして、ステップＳ２８で、回線を接続し、ステップＳ３０で、応答メッセージＢ（例えば、「現在、電話に出られませんので、メッセージを入れて下さい」）を相手に送信する。そして、ステップＳ３２で、上記書き込みアドレスの領域に相手からの音声メッセージの録音を開始し、録音が終了すると、ステップＳ３４で、回線を切断し、当該処理を終了する。このように、発信者情報テーブル３０に登録されている相手からの電話に対しては、空き領域があれば、空き領域に音声メッセージを録音する。
【００３１】
一方、発信者情報テーブル３０に登録されている相手からの電話であるにも拘らず、音声メッセージ録音領域３１に空き領域がなければ、ステップＳ１８からステップＳ２４に進み、既に録音されている音声メッセージのうち、録音時刻が最も古いデータを検索し、ステップＳ２６で、書き込みアドレスに上記データ領域の先頭アドレスをセットする。そして、上述したステップＳ２８に進み、回線を接続し、ステップＳ３０で、応答メッセージＢ（例えば、「現在、電話に出られませんので、メッセージを入れて下さい」）を相手に送信する。そして、ステップＳ３２で、上記書き込みアドレスの領域に相手からの音声メッセージの録音を開始し（上書き）、録音が終了すると、ステップＳ３４で、回線を切断し、当該処理を終了する。このように、発信者情報テーブル３０に登録されている相手からの電話にも拘らず、空き領域がなければ、録音時刻が最も古い領域に音声メッセージを録音（上書き）する。
【００３２】
Ｂ−２．第２の動作例
前述した第１の動作例では、発信者情報テーブル３０に登録されていない相手からの電話に対しては、全く、音声メッセージを録音することなく、回線を切断していたが、これに限らず、音声メッセージ録音領域３１に空き領域があれば、発信者情報テーブル３０に登録されていない相手の音声メッセージを録音するようにしてもよい。以下、この第２の動作例について説明する。
【００３３】
ここで、図６は、本第１実施例によるＰＨＳ端末の第２の動作例を説明するためのフローチャートである。まず、ステップＳ４０で、着信したか否かを判断し、着信すると、ステップＳ４２で、呼設定メッセージから発信者番号を取得する。次に、ステップＳ４４で、音声メッセージ録音領域３１に空き領域があるか否かを判断し、空き領域があれば、ステップＳ５０に進み、音声メッセージの書き込みアドレスに空き領域の先頭アドレスをセットする。そして、ステップＳ５６で、回線を接続し、ステップＳ５８で、応答メッセージＢ（例えば、「現在、電話に出られませんので、メッセージを入れて下さい」）を相手に送信する。そして、ステップＳ６０で、上記書き込みアドレスの領域に相手からの音声メッセージの録音を開始し、録音が終了すると、ステップＳ６２で、回線を切断し、当該処理を終了する。このように、発信者情報テーブル３０に登録されている相手、登録されていない相手に拘らず、空き領域があれば、空き領域に発信者からの音声メッセージを録音する。
【００３４】
一方、音声メッセージ録音領域３１に空き領域がなければ、ステップＳ４４からステップＳ４６に進み、上記発信者番号が発信者情報テーブル３０に登録されているか否かを判断し、登録されていなければ、ステップＳ４８に進み、応答メッセージＡ（例えば、「現在、電話に出られません」）を相手に送信する。そして、ステップＳ６２で、回線を切断し、当該処理を終了する。このように、空き領域がない場合には、発信者情報テーブル３０に登録されていない相手からの電話に対しては、音声メッセージを録音することなく、回線を切断する。
【００３５】
一方、空き領域がないものの、呼設定メッセージのサブアドレスから取りだした発信者番号が発信者情報テーブル３０に登録されていれば、ステップＳ５２に進み、既に録音されている音声メッセージのうち、録音時刻が最も古いデータを検索し、ステップＳ５４で、書き込みアドレスに上記データ領域の先頭アドレスをセットする。そして、上述したステップＳ５６に進み、回線を接続し、ステップＳ５８で、応答メッセージＢ（例えば、「現在、電話に出られませんので、メッセージを入れて下さい」）を相手に送信する。そして、ステップＳ６０で、上記書き込みアドレスの領域に相手からの音声メッセージの録音を開始し（上書き）、録音が終了すると、ステップＳ６２で、回線を切断し、当該処理を終了する。このように、空き領域がない場合であっても、発信者情報テーブル３０に登録されている相手からの電話であれば、録音時刻が最も古い領域に音声メッセージを録音（上書き）する。
【００３６】
このように、本第１実施例によれば、所定の発信者からの着信があると、該発信者の音声メッセージを、既に録音したデータのうち、最も古いデータ領域に上書きするようにしたので、音声メッセージ録音領域３１に空き領域がなくなっても、必ず所定の発信者からの音声メッセージを録音することができる。
【００３７】
Ｃ．第２実施例の構成
次に、本発明の第２実施例によるＰＨＳ端末について説明する。なお、本第２実施例によるＰＨＳ端末の基本構成は、図１に示すものと同じであるので説明を省略する。本第２実施例では、予め必ず音声メッセージを録音する発信者を設定するとともに、それぞれの発信者に優先順位を設け、該優先順位に従って、音声メッセージを録音するようになっている。
【００３８】
Ｃ−１．発信者優先順位情報テーブル
ここで、図７は、本第２実施例による発信者優先順位情報テーブルの構成を示す概念図である。図において、ＰＨＳ端末は、留守番モードに設定されている場合に必ず音声メッセージを録音する相手の発信者情報（電話番号または名前）およびその優先順位を、適宜、使用者によって設定可能な発信者優先順位情報テーブル３２に記憶している。該発信者優先順位情報テーブル３２は、例えばＲＡＭ１８等に設けられる。ＰＨＳ端末は、留守番モードに設定されている場合、発信側からの呼設定メッセージのサブアドレスに入れられている発信者情報を取り出し、該発信者番号が上記発信者優先順位情報テーブル３２にあると、その相手に対し、音声メッセージを入力するように応答メッセージＢを送信し、相手が入力した音声メッセージをデジタル音声データに変換した後、既に録音されたデータのうち、優先順位のない音声メッセージ、あるいは優先順位の低い音声メッセージに計時部２０で計時した時刻とともに上書きする。
【００３９】
Ｃ−２．音声メッセージ録音領域
図８は、本第２実施例によるＰＨＳ端末で、留守番モード時に録音した音声メッセージの録音領域を説明するための概念図である。図において、録音領域３１は、例えば、ＲＡＭ１８に設けられており、録音した時刻順に、発信者情報Ｎi（ｉ＝１，２，…）、優先順位Ｐi（例えば、Ｐ１，Ｐ２，Ｐ３）、録音開始時刻、音声メッセージが記憶される。ＰＨＳ端末は、音声メッセージを録音する際、録音領域３１に空きがあれば、そのまま空き領域に新たに録音する一方、録音領域３１に空きがなければ、既に録音されているデータのうち、優先順位のない音声メッセージ、あるいは優先順位の低い音声メッセージを検索し、そのデータに上書きするようになっている。これにより、上述した発信者優先順位情報テーブル３２に設定された相手からの着信があった場合には、優先順位の高い順に、その相手の音声メッセージを必ず録音することができる。
【００４０】
Ｄ．第２実施例の動作
次に、上述した第２実施例によるＰＨＳ端末の動作について説明する。なお、以下の説明では、通話に伴う各部の動作については通常の端末の動作と同様であるので説明を省略する。
【００４１】
Ｄ−１．第１の動作例
ここで、図９は、本第２実施例によるＰＨＳ端末の第１の動作例の動作を説明するためのフローチャートである。まず、ステップＳ７０で、着信したか否かを判断し、着信すると、ステップＳ７２で、呼設定メッセージから発信者番号を取得する。次に、ステップＳ７４で、上記発信者番号が発信者優先順位情報テーブル３２に登録されているか否かを判断し、登録されていなければ、ステップＳ７６に進み、応答メッセージＡ（例えば、「現在、電話に出られません」）を相手に送信する。そして、ステップＳ９４で、回線を切断し、当該処理を終了する。このように、発信者優先順位情報テーブル３２に登録されていない相手からの電話に対しては、第１実施例と同様に、音声メッセージを録音することなく、回線を切断する。
【００４２】
一方、呼設定メッセージのサブアドレスから取りだした発信者番号が発信者優先順位情報テーブル３２に登録されていれば、ステップＳ７８に進み、発信者優先順位情報テーブル３２から優先順位を取得する。次に、ステップＳ８０で、音声メッセージ録音領域３３に空き領域があるか否かを判断し、空き領域があれば、ステップＳ８２に進み、音声メッセージの書き込みアドレスに空き領域の先頭アドレスをセットする。そして、ステップＳ８８で、回線を接続し、ステップＳ９０で、応答メッセージＢ（例えば、「現在、電話に出られませんので、メッセージを入れて下さい」）を相手に送信する。そして、ステップＳ９２で、上記書き込みアドレスの領域に相手からの音声メッセージの録音を開始し、録音が終了すると、ステップＳ９４で、回線を切断し、当該処理を終了する。このように、発信者優先順位情報テーブル３２に登録されている相手からの電話に対しては、空き領域があれば、該空き領域に音声メッセージを録音する。
【００４３】
一方、発信者優先順位情報テーブル３２に登録されている相手からの電話であるにも拘らず、音声メッセージ録音領域３３に空き領域がなければ、ステップＳ８０からステップＳ８４に進み、取得した発信者情報の優先順位と既に録音されている音声メッセージの優先順位とを比較し、優先順位のないもの、あるいは優先順位の低い領域があるか否かを判断する。そして、優先順位のないもの、あるいは優先順位の低いものがなければ、前述したステップＳ７６に進み、応答メッセージＡを相手に送信した後、ステップＳ９４で回線を切断する。
【００４４】
これに対して、既に録音されている音声メッセージのなかに、優先順位のないもの、あるいは優先順位の低いものがあれば、ステップＳ８６に進み、書き込みアドレスに上記データ領域の先頭アドレスをセットする。そして、上述したステップＳ８８に進み、回線を接続し、ステップＳ９０で、応答メッセージＢ（例えば、「現在、電話に出られませんので、メッセージを入れて下さい」）を相手に送信する。そして、ステップＳ９２で、上記書き込みアドレスの領域に相手からの音声メッセージの録音を開始し（上書き）、録音が終了すると、ステップＳ９４で、回線を切断し、当該処理を終了する。このように、発信者優先順位情報テーブル３２に登録されている相手からの電話にも拘らず、空き領域がなければ、既に録音されている音声メッセージのうち、優先順位のないもの、あるいは優先順位の低いものの領域に音声メッセージを録音（上書き）する。
【００４５】
Ｄ−２．第２の動作例
前述した第１の動作例では、発信者優先順位情報テーブル３２に登録されていない相手からの電話に対しては、全く、音声メッセージを録音することなく、回線を切断していたが、これに限らず、音声メッセージ録音領域３３に空き領域があれば、発信者優先順位情報テーブル３２に登録されていない相手であっても、その音声メッセージを空き領域に録音するようにしてもよい。以下、この第２の動作例について説明する。
【００４６】
ここで、図１０は、本第２実施例によるＰＨＳ端末の第２の動作例を説明するためのフローチャートである。まず、ステップＳ１００で、着信したか否かを判断し、着信すると、ステップＳ１０２で、呼設定メッセージから発信者番号を取得する。次に、ステップＳ１０４で、音声メッセージ録音領域３３に空き領域があるか否かを判断し、空き領域があれば、ステップＳ１０８に進み、音声メッセージの書き込みアドレスに空き領域の先頭アドレスをセットする。そして、ステップＳ１１８で、回線を接続し、ステップＳ１２０で、応答メッセージＢ（例えば、「現在、電話に出られませんので、メッセージを入れて下さい」）を相手に送信する。そして、ステップＳ１２２で、上記書き込みアドレスの領域に相手からの音声メッセージの録音を開始し、録音が終了すると、ステップＳ１２４で、回線を切断し、当該処理を終了する。このように、発信者優先順位情報テーブル３２に登録されている相手、登録されていない相手に拘らず、空き領域があれば、その空き領域に音声メッセージを録音する。
【００４７】
一方、音声メッセージ録音領域３３に空き領域がなければ、ステップＳ１０４からステップＳ１１０に進み、上記発信者番号が発信者優先順位情報テーブル３２に登録されているか否かを判断し、登録されていなければ、ステップＳ１０６に進み、応答メッセージＡ（例えば、「現在、電話に出られません」）を相手に送信する。そして、ステップＳ１２４で、回線を切断し、当該処理を終了する。このように、空き領域がなく、かつ発信者優先順位情報テーブル３２に登録されていない相手からの電話に対しては、音声メッセージを録音することなく、回線を切断する。
【００４８】
一方、空き領域がないものの、呼設定メッセージのサブアドレスから取りだした発信者番号が発信者優先順位情報テーブル３２に登録されていれば、ステップＳ１１２に進み、既に録音されている音声メッセージのうち、優先順位のないもの、あるいは優先順位の低いものがあるか判断する。そして、優先順位のないもの、あるいは優先順位の低いものがなければ、上述したステップＳ１０６に進み、応答メッセージＡ（例えば、「現在、電話に出られません」）を相手に送信する。そして、ステップＳ１２４で、回線を切断し、当該処理を終了する。
【００４９】
これに対して、優先順位のないもの、あるいは優先順位の低いものがあれば、ステップＳ１１６に進み、書き込みアドレスに上記データ領域の先頭アドレスをセットする。そして、前述したステップＳ１１８に進み、回線を接続し、ステップＳ１２０で、応答メッセージＢ（例えば、「現在、電話に出られませんので、メッセージを入れて下さい」）を相手に送信する。そして、ステップＳ１２２で、上記書き込みアドレスの領域に相手からの音声メッセージの録音を開始し（上書き）、録音が終了すると、ステップＳ１２４で、回線を切断し、当該処理を終了する。このように、空き領域がないものの、発信者優先順位情報テーブル３２に登録されており、かつ既に録音されている音声メッセージの中に優先順位のないもの、あるいは優先順位の低いものがあれば、その領域に音声メッセージを録音（上書き）する。
【００５０】
Ｄ−３．再生動作
次に、本第２実施例によるＰＨＳ端末において、上述した第１の動作または第２の動作に従って録音した音声メッセージを再生する動作について説明する。ここで、図１１は、本第２実施例によるＰＨＳ端末における再生動作を説明するためのフローチャートである。まず、ステップＳ１３０で、再生スイッチがオンされたか否かを判断し、オンされると、ステップＳ１３２で、図８に示す音声メッセージ録音領域３３を検索し、優先順位の付いたものがあるか否かを判断する。そして、優先順位の付いたものがなければ、ステップＳ１３４に進み、録音開始時刻が古いものから順に再生する。一方、優先順位が付いたものがあれば、ステップＳ１３６に進み、それら音声メッセージの優先順位を判定し、ステップＳ１３８で、優先順位の高いものから順に再生する。
【００５１】
このように、本第２実施例によれば、発信者情報に加えて、優先順位を設けたので、発信者優先順位情報テーブル３２に設定された相手からの着信があった場合には、優先順位の高い順、言い換えると、重要な件順に、その相手の音声メッセージを必ず録音することができる。さらに、再生において、優先順位の高い順に再生することにより、重要な件順に、その相手の音声メッセージを確認することができる。
【００５２】
Ｅ．第３実施例の構成
Ｅ−１．電話機の構成
図１２は、本発明の第３実施例による電話機の構成を示すブロック図である。図において、公衆回線４０は、アナログ回線またはデジタル回線である。着信部４１は、発信側から公衆回線４０を介して送信されるＩＤ受信端末起動信号を受信し、制御部５２に供給する。回線閉結部４２は、制御部５２からの閉結信号を受信すると、公衆回線４０に当該装置を接続する。モデム４３は、公衆回線４０を介して受信した信号（呼設定メッセージ）を受信し、デジタル信号に変換し、発信者情報を取り出して制御部５２に供給する。転極検出部４４は、公衆回線４０の極性の反転（着信）を検出し、制御部５２に通知する。通話部４５は、公衆回線４０を介して相手との間で通話（音声の授受）を行うとともに、留守番モード設定時における応答メッセージの送信、相手からの音声メッセージの受信を行う。
【００５３】
次に、ハンドセット４６は、マイクおよびスピーカからなる受話器であり、通話部４５からの音声をスピーカから出力するとともに、マイクから入力した音声を通話部４５に送出する。また、選択信号送出部４７は、選択信号を送出する。音声合成部４８は、予め設定されている上記応答メッセージを生成し、通話部４５に供給する。録音部４９は、留守番モード設定時に相手からの音声メッセージを録音する手段であり、記憶媒体として半導体メモリまたは磁気テープ（後述）を有する。また、スピーカ５０は、録音部４９に録音された音声メッセージや、音源部５７からのリンガ音等を出力する。
【００５４】
次に、キー入力部５１は、相手先の電話番号を入力する数値キーや、ワンタッチダイヤルキー、オンフック／オフフックを行うスイッチ、音声出力を変えるボリュームスイッチ等から構成される。これらキーやスイッチの状態は制御部５２に供給される。次に、制御部５２は、所定のプログラムに従って装置全体を制御する。ＲＯＭ５３には上記制御部５２で実行されるプログラムや、種々のパラメータ等が格納されている。また、ＲＡＭ５４には、上記制御部５２の制御に伴って生成されるデータが格納されるワーキングエリア等に用いられるとともに、ワンタッチダイヤルキーに対して記憶した電話番号等が格納されている。
【００５５】
次に、表示部５５は、動作モードや、電話番号、通話時間、着信した際に相手を特定するための発信者番号等の各種データ等を表示する液晶表示器や、スイッチ等のオン／オフ等を示すＬＥＤから構成されており、上記制御部の制御の下、各種データを表示する。次に、計時部５６は、所定のクロックに従って、日付および時刻をリアルタイムで計時しており、該日付および時刻を所定のタイミングで制御部５２へ供給する。この日付および時刻は、留守番モード時に、録音開始時刻を記録するために用いられる。
【００５６】
Ｅ−２．発信者情報テーブルの構成
次に、図１３は、上述した第３実施例による電話機の発信者情報テーブルの構成を示す概念図である。電話機は、留守番モード設定時に、音声メッセージを録音した相手を特定する発信者情報Ｎi（ｉ＝１，２，…）、その録音回数ＲＮi（ｉ＝１，２，…）、その音声メッセージの録音開始アドレスＡＤi（ｉ＝１，２，…）を、適宜、使用者に設定可能な発信者情報テーブル６０に記憶している。上記録音回数ＲＮiは、発信者情報に対応して留守番モード設定開始から現時点までに録音した回数を示し、初期値を「０」とし、録音した時点で１ずつインクリメントされる。該発信者情報テーブル６０において、録音回数ＲＮiおよびアドレスＡＤiは、音声メッセージが録音される度に更新される。電話機は、留守番モードに設定されている場合、発信側からの呼設定メッセージのサブアドレスに入れられている発信者情報を取り出し、該発信者情報の相手に対し、既に録音した回数を示す録音回数ＲＮiを参照することにより、今回が１回目（初めて）の録音であるか否かを判断し、該判断結果に従って音声メッセージの新規録音あるいは上書き録音を決定する。
【００５７】
Ｅ−３．録音部
図１４は、本第３実施例による電話機で、留守番モード時に音声メッセージを録音する録音部におけるデータ構成を説明するための概念図である。図において、録音部（半導体メモリ）４９の記憶媒体（本実施例では半導体メモリ等）には、録音した時刻順に、発信者情報Ｎi、録音開始時刻、音声メッセージが記憶される。電話機は、留守番モードに設定されている場合、発信側からの呼設定メッセージのサブアドレスに入れられている発信者情報を取り出し、当該発信者情報の相手に対し、既に、少なくとも１回でも音声メッセージを録音していると、前回（１回目）の録音領域に、今回の音声メッセージを上書きする。初めての場合には、空き領域に録音される。すなわち、留守番モード設定時、ある特定の相手が何度も着信した場合、その相手からの前回の音声メッセージ上に今回の音声メッセージを上書きすることで、最新の音声メッセージのみを残すようになっている。これにより、上述した発信者情報テーブル６０に設定された相手からの着信があった場合には、空き領域がなくなっても、その相手の音声メッセージを必ず録音することができる。
【００５８】
Ｆ．第３実施例の動作
次に、上述した本第３実施例による電話機の動作について説明する。なお、以下の説明では、通話に伴う各部の動作については通常の端末の動作と同様であるので説明を省略する。ここで、図１５は、本第３実施例の動作を説明するためのフローチャートである。まず、ステップＳ１４０で、転極検出部４２により公衆回線３０が転極したか否かを判断し、転極が検出されると、ステップＳ１４２で、着信部３１によりＩＤ受信端末起動信号が受信されたか否かを判断する。そして、ＩＤ受信端末起動信号を受信すると、ステップＳ１４４で、モデム３３を起動し、ステップＳ１４６で、呼設定メッセージのサブアドレスに入れられていた相手の発信者情報を取り出し、ステップＳ１４８で、モデム３４を停止する。
【００５９】
次に、ステップＳ１５０で、図１３に示す発信者情報テーブル６０を参照し、対応する発信者情報に対する録音回数ＲＮiが「０」であるか、すなわち今回の録音が１回目の録音であるか否かを判断する。そして、１回目の録音である場合には、ステップＳ１５２に進み、録音部３９の音声メッセージ録音領域６１に空き領域があるか否かを判断し、空き領域がなければ、ステップＳ１５４で、応答メッセージＡ（例えば、「現在、電話に出られません」）を相手に送信する。そして、ステップＳ１６８で、回線を切断し、当該処理を終了する。
【００６０】
一方、録音部３９の音声メッセージ録音領域６１に空き領域があれば、ステップＳ１５６に進み、音声メッセージの書き込みアドレスに空き領域の先頭アドレスをセットする。そして、ステップＳ１６２で、回線を接続し、ステップＳ１６４で、応答メッセージＢ（例えば、「現在、電話に出られませんので、メッセージを入れて下さい」）を相手に送信する。そして、ステップＳ１６６で、上記書き込みアドレスの領域に相手からの音声メッセージの録音を開始し、録音が終了すると、ステップＳ１６８で、回線を切断し、当該処理を終了する。このように、１回目の録音で、かつ空き領域があれば、その空き領域に音声メッセージを録音する。
【００６１】
また、１回目の録音でない場合、言い換えると、発信者情報で示される相手からの音声メッセージを既に録音している場合には、ステップＳ１５０からステップＳ１５８に進み、取得した発信者情報に基づいて図１３に示す発信者情報テーブル６０を検索し、前回の録音領域の先頭アドレスを取得する。次に、ステップＳ１６０で、書き込みアドレスに上記前回の録音領域の先頭アドレスをセットする。そして、前述したステップＳ１６２に進み、回線を接続し、ステップＳ１６４で、応答メッセージＢ（例えば、「現在、電話に出られませんので、メッセージを入れて下さい」）を相手に送信する。そして、ステップＳ１６６で、上記書き込みアドレスの領域に相手からの音声メッセージの録音を開始し（上書き）、録音が終了すると、ステップＳ１６８で、回線を切断し、当該処理を終了する。このように、１回目の録音でない場合には、前回の録音領域に今回の音声メッセージを録音（上書き）する。
【００６２】
このように、本第３実施例によれば、既に１回でも音声メッセージを録音した相手からの着信があった場合、前回の音声メッセージ上に上書きするようにしたので、音声メッセージ録音領域に空き領域がなくても、最新の音声メッセージを録音することができる。
【００６３】
Ｇ．第４実施例
次に、本発明の第４実施例について説明する。上述した実施例では、録音部３９の記憶媒体に半導体メモリを用いた場合について説明したが、本第４実施例では、上記記憶媒体を時系列で順次記憶する記憶媒体（例えば、磁気テープ）で構成したものである。したがって、全体構成は、図１２と同様であるので説明を省略する。この場合、磁気テープの巻戻しや早送りには時間がかかるので、言い換えると、第３実施例のように、ランダムアクセスして、同一相手の音声メッセージ上に上書きすることは現実的でないので、相手からの音声メッセージは、従来のように、時系列で磁気テープに録音される。そして、再生時においては、同一の相手からの音声メッセージが何度も録音されている場合、時間的に古い音声メッセージの部分を早送りし、最新のメッセージのみを再生するようになっている。そのため、本第４実施例では、音声メッセージを録音した相手の発信者情報および録音回数を、図１６に示す録音回数情報テーブル６２に記憶する。
【００６４】
Ｈ．第４実施例の動作
ここで、図１６は、本発明の第４実施例による電話機の動作を説明するための概念図である。相手からの音声メッセージは、図１６の上部に示すように、磁気テープに対して時系列で録音される。このとき、磁気テープには、各音声メッセージに対して、その発信者を特定するための発信者情報Ｎi（ｉ＝１，２，…）が付けられる。また、例えば、ＲＡＭ４４には、図１６の下部に示すように、発信者情報Ｎiに対する録音回数が記憶された録音回数情報テーブル６２が保持される。該録音回数は、同一の発信者からの着信、音声メッセージ録音が生じる度に、インクリメントされる。
【００６５】
例えば、図１６に示す例では、まず、発信者情報Ｎ１で示される発信者からの音声メッセージが２回、次に、発信者情報Ｎ2で示される発信者からの音声メッセージ、発信者情報Ｎ3で示される発信者からの音声メッセージ、発信者情報Ｎ4で示される発信者からの音声メッセージ、そして、発信者情報Ｎ2で示される発信者からの音声メッセージが古い順に録音されている。一方、ＲＡＭ４４には、現時点で、発信者情報Ｎ1の録音回数「２」、発信者情報Ｎ2の録音回数「２」、発信者情報Ｎ3の録音回数「１」、発信者情報Ｎ4の録音回数「１」が記憶されている。
【００６６】
ここで、図１７は、本第４実施例による電話機の再生処理を説明するためのフローチャートである。留守番モードが解除されると、図１７に示すフローチャートに従って再生処理が実行される。まず、ステップＳ１７０で、再生操作が行われた否かを判断し、再生操作以外であれば、操作に対応した処理へ進む。一方、再生操作が行われた場合には、ステップＳ１７２に進み、磁気テープを録音開始位置まで巻戻す。次に、ステップＳ１７４で、磁気テープを再生し、まず、音声メッセージの発信者情報を読み取る。図１６に示す例では、最初の発信者情報は「Ｎ1」である。次に、ステップＳ１７６で、ＲＡＭ４４の録音回数情報テーブル６２を参照し、上記発信者情報Ｎ1の録音回数を取得し、該録音回数が「１」であるか否かを判断する。この場合、発信者情報Ｎ1の録音回数は、「２」であるので、ステップＳ１８０に進む。
【００６７】
ステップＳ１８０では、磁気テープを早送りし、次の音声メッセージの先頭まで進め、ステップＳ１８２で、対応する発信者情報の録音回数を「１」だけデクリメントする。すなわち、上記の例では、発信者情報Ｎ1の録音回数が「２」であったため、磁気テープには２つの音声メッセージが録音されていることを示している。したがって、最初の音声メッセージは古い音声メッセージであるので、これをスキップし、次の音声メッセージへ進める。そして、ステップＳ１８４に進み、停止操作が行われたか否かを判断し、停止操作が行われていなければ、ステップＳ１７４に戻る。
【００６８】
ステップＳ１７４では、上述したように、磁気テープを再生し、音声メッセージの発信者情報を読み取る。図１６に示す例では、次の発信者情報は「Ｎ1」である。この場合、上記ステップＳ１８２で、該発信者情報Ｎ1の録音回数を「１」だけデクリメントしているので、ステップＳ１７６における判断結果は「ＹＥＳ」となり、ステップＳ１７８に進む。ステップＳ１７８では、現時点における音声メッセージを再生する。したがって、発信者情報Ｎ1からの最新の音声メッセージが再生される。
【００６９】
以下、停止操作（または磁気テープの最後、あるいは録音した音声メッセージの最後）に到達するまで、上記ステップＳ１７４〜１８４を繰り返し実行する。この結果、次の音声メッセージに対する発信者情報は「Ｎ2」であり、この録音回数は「２」であので、発信者情報Ｎ2からの最初の音声メッセージは、ステップＳ１８０で早送りされ、対応する録音回数は、ステップＳ１８２で、デクリメントされ、「１」となる。
【００７０】
次の音声メッセージに対する発信者情報は「Ｎ3」であり、この録音回数は「１」である。すなわち、１回しか録音されていないことを示す。したがって、この場合には、当該音声メッセージは、ステップＳ１７８で、そのまま再生される。次の音声メッセージに対する発信者情報は「Ｎ4」であり、この録音回数は「１」である。したがって、この場合も、１回しか録音されていないので、当該音声メッセージは、ステップＳ１７８で、再生される。また、次の音声メッセージに対する発信者情報は「Ｎ2」である。この録音回数は、前回、デクリメントされ、「１」となっているので、現時点における音声メッセージ、すなわち発信者情報Ｎ2からの最新の音声メッセージとしてステップＳ１７８で再生される。
【００７１】
このように、本第４実施例によれば、相手からの音声メッセージを磁気テープに時系列で録音しておき、同一の相手からの音声メッセージが複数録音されている場合、再生時に、古い音声メッセージの部分を早送りし、最新の音声メッセージのみを再生するようにしたので、再生時間を短縮することができる。なお、上述した第４実施例では、録音部３９の記憶媒体を半導体メモリとしたが、これに限らず、フロッピーディスクやＭＤのような磁気媒体であってもよい。
【００７２】
Ｉ．第５実施例の構成
次に、本発明の第５実施例について説明する。ここで、図１８は、本発明の第５実施例による電話機の構成を示すブロック図であり、図１２に対応する部分には同一の符号を付けて説明を省略する。なお、本第５実施例においても、前述した第３実施例と同様に、図１３に示す発信者情報テーブル６０を備えており、また、発信者からの音声メッセージも、図１４に示すような構成で録音部４９に録音（記憶）される。図１８において、本第５実施例が前述した第３実施例と異なる点は、ＭＦレシーバ部７０を追加したところにある。ＭＦレシーバ部７０は、発信者のプッシュボタンの操作により送信されてくるＭＦ信号を受信し、制御部２６に供給する。制御部２６は、着信した際、留守番モードを設定してから現時点までの間に、発信者が既に音声メッセージを残している場合、すなわち、同一発信者からの前回の音声メッセージが録音部４９に録音されている場合、発信者に対して、応答メッセージＣを送信することにより、前回の音声メッセージを消去してよいかどうかを問い、該問いに対して、プッシュボタンの操作により応答させるようになっている。そして、発信者からの応答が消去可であれば、前回の音声メッセージ上に今回の音声メッセージを上書きし、応答が消去不可であれば、今回の音声メッセージを新たに録音するようになっている。以下、本第５実施例による電話機の動作について詳細に説明する。
【００７３】
Ｊ．第５実施例の動作
ここで、図１９および図２０は、本第５実施例による電話機の動作を説明するためのフローチャートである。まず、ステップＳ１９０で、転極検出部５２により公衆回線４０が転極したか否かを判断し、転極が検出されると、ステップＳ１９２で、着信部３１によりＩＤ受信端末起動信号が受信されたか否かを判断する。そして、ＩＤ受信端末起動信号を受信すると、ステップＳ１９４で、モデム４３を起動し、ステップＳ１９６で、呼設定メッセージのサブアドレスに入れられていた相手の発信者情報を取り出し、ステップＳ１９８で、モデム４４を停止する。
【００７４】
次に、ステップＳ２００で、図１３に示す発信者情報テーブル６０を参照し、対応する発信者情報に対する録音回数ＲＮiが「０」であるか、すなわち今回の録音が１回目の録音であるか否かを判断する。そして、１回目の録音である場合には、ステップＳ２０２に進み、録音部４９に空き領域があるか否かを判断し、空き領域がなければ、ステップＳ２０４で、応答メッセージＡ（例えば、「現在、電話に出られません」）を相手に送信する。そして、ステップＳ２３０で、回線を切断し、当該処理を終了する。
【００７５】
一方、録音部４９に空き領域があれば、ステップＳ２０６に進み、音声メッセージの書き込みアドレスに空き領域の先頭アドレスをセットする。そして、ステップＳ２０８で、回線を接続し、ステップＳ２２６で、応答メッセージＢ（例えば、「現在、電話に出られませんので、メッセージを入れて下さい」）を相手に送信する。そして、ステップＳ２２８で、上記書き込みアドレスの領域に相手からの音声メッセージの録音を開始し、録音が終了すると、ステップＳ２３０で、回線を切断し、当該処理を終了する。このように、１回目の録音で、かつ空き領域があれば、その空き領域に音声メッセージを録音する。
【００７６】
また、１回目の録音でない場合、言い換えると、発信者情報で示される相手からの音声メッセージを既に録音している場合には、ステップＳ２００から図２０に示すステップＳ２１０に進み、回線を接続し、ステップＳ２１２で、応答メッセージＣ（例えば、「ただいま留守にしています。前回の録音が残っています。消去可能な場合は１ボタンを、消去しない場合は９ボタンを押して下さい」）を相手に送信し、発信者のプッシュボタンの操作を待つ。そして、ステップＳ２１４で、消去可能を示すＭＦ信号「１」を検出したか否かを判断し、消去不可を示すＭＦ信号「９」が検出されると、ステップＳ２１８に進み、録音部４９に空き領域があるか否かを判断し、空き領域があれば、ステップＳ２２０に進み、音声メッセージの書き込みアドレスに空き領域の先頭アドレスをセットする。
【００７７】
そして、図１９のステップＳ２２６で、応答メッセージＢ（例えば、「現在、電話に出られませんので、メッセージを入れて下さい」）を相手に送信する。そして、ステップＳ２２８で、上記書き込みアドレスの領域に相手からの音声メッセージの録音を開始し、録音が終了すると、ステップＳ２３０で、回線を切断し、当該処理を終了する。このように、１回目以降の録音で、かつ前回の音声メッセージを消去せずに残す場合には、空き領域があれば、その空き領域に音声メッセージを録音する。
【００７８】
一方、消去不可を示すＭＦ信号「９」を受信したものの、録音部４９に空き領域がなければ、ステップＳ２２２に進み、応答メッセージＤ（例えば、「前回のメッセージ上に上書きします」）を相手に送信する。そして、ステップＳ２２４で、取得した発信者情報に基づいて図１３に示す発信者情報テーブル６０を検索し、前回の録音領域の先頭アドレスＡＤiを取得する。次に、ステップＳ２２６で、書き込みアドレスに上記前回の録音領域の先頭アドレスＡＤiをセットする。そして、ステップＳ２２８で、上記書き込みアドレスの領域に相手からの音声メッセージの録音を開始し、録音が終了すると、ステップＳ２３０で、回線を切断し、当該処理を終了する。このように、１回目以降の録音であるにも拘らず、前回の音声メッセージを消去せずに残す場合で、かつ空き領域がなければ、前回の音声メッセージ上に今回の音声メッセージを上書き（録音）する。
【００７９】
一方、１回目以降の録音で、かつ前回の音声メッセージを消去してもよいことを示すＭＦ信号「１」を受信した場合には、ステップＳ２１４からステップＳ２２２に進み、前述した、応答メッセージＤ（例えば、「前回のメッセージ上に上書きします」）を相手に送信する。そして、ステップＳ２２４で、取得した発信者情報に基づいて図１３に示す発信者情報テーブル６０を検索し、前回の録音領域の先頭アドレスＡＤiを取得する。次に、ステップＳ２２６で、書き込みアドレスに上記前回の録音領域の先頭アドレスＡＤiをセットする。そして、ステップＳ２２８で、上記書き込みアドレスの領域に相手からの音声メッセージの録音を開始し、録音が終了すると、ステップＳ２３０で、回線を切断し、当該処理を終了する。このように、１回目以降の録音であり、かつ前回の音声メッセージを消去する場合には、当然、前回の音声メッセージ上に今回の音声メッセージを上書き（録音）する。
【００８０】
このように、第５実施例によれば、同一の発信者からの音声メッセージ録音に先立ち、前回の音声メッセージを消去可能であるかをＭＦ信号を用いて確認するため、発信者が伝えたい内容の重複録音を避けることができるので、録音領域を有効的に使用することができ、録音領域に空き領域がない場合であっても、音声メッセージを録音することができる。
【００８１】
なお、上述した第５実施例では、同一の発信者情報からの留守番録音に際し、前回の音声メッセージの消去を確認する発信者の意思確認手段として、ＭＦ信号を用いたが、これに限らず、音声認識による意思確認であってもよい。この場合の構成としては、図１８に示すＭＦレシーバ部７０を音声認識部とし、認識の語彙としては、例えば、「はい」、「いいえ」を用いればよい。さらに、ＭＦレシーバ部７０と音声認識部を併用してもよい。
また、上述した留守番機能では、音声メッセージのみを記録するようにしたが、これに限定することはなく、文字等のメッセージでもよい。
さらに、上述した各実施例は、上述した実施の形態に限定されず、上述した機能を有する通信端末であるなら、全て適用することができる。
【００８２】
【発明の効果】
本発明によれば、通信相手からの通信情報に対する記録を適切に制御することができるという利点が得られる。
【図面の簡単な説明】
【図１】本発明の第１実施例によるＰＨＳ端末の構成を示すブロック図である。
【図２】呼設定メッセージを説明するための概念図である。
【図３】本第１実施例によるＰＨＳ端末に記憶されている発信者情報テーブルを説明するための概念図である。
【図４】本第１実施例によるＰＨＳ端末で、留守番モード時に録音した音声メッセージの録音領域を説明するための概念図である。
【図５】本第１実施例によるＰＨＳ端末の第１の動作例の動作を説明するためのフローチャートである。
【図６】本第１実施例によるＰＨＳ端末の第２の動作例を説明するためのフローチャートである。
【図７】本第２実施例による発信者優先順位情報テーブルを説明するための概念図である。
【図８】本第２実施例によるＰＨＳ端末で、留守番モード時に録音した音声メッセージの録音領域を説明するための概念図である。
【図９】本第２実施例によるＰＨＳ端末の第１の動作例の動作を説明するためのフローチャートである。
【図１０】本第２実施例によるＰＨＳ端末の第２の動作例を説明するためのフローチャートである。
【図１１】本第２実施例によるＰＨＳ端末における再生動作を説明するためのフローチャートである。
【図１２】本発明の第３実施例による電話機の構成を示すブロック図である。
【図１３】本第３実施例による電話機の発信者情報テーブルを説明するための概念図である。
【図１４】本第３実施例による電話機で、留守番モード時に音声メッセージを録音する録音部におけるデータ構成を説明するための概念図である。
【図１５】本第３実施例の動作を説明するためのフローチャートである。
【図１６】本発明の第４実施例による電話機の動作を説明するための概念図である。
【図１７】本第４実施例による電話機の再生処理を説明するためのフローチャートである。
【図１８】本発明の第５実施例による電話機の構成を示すブロック図である。
【図１９】本第５実施例による電話機の動作を説明するためのフローチャートである。
【図２０】本第５実施例による電話機の動作を説明するためのフローチャートである。
【符号の説明】
１０  送受信部
１１  通信制御部
１２  音声処理部
１５  キー入力部
１６  制御部（記憶制御手段、発信者判別手段、優先順位取得手段、再生手段）
１７  ＲＯＭ
１８  ＲＡＭ（記憶手段）
１９  表示部
２０  計時部
３０  発信者情報テーブル（発信者リスト）
３１，３３  音声メッセージ録音領域（記憶手段）
３２  発信者優先順位情報テーブル（発信者優先順位リスト）
４９  録音部
５２  制御部（録音回数判別手段、再生手段）
６０  （録音回数リスト）
６１  音声メッセージ録音領域（記憶手段）
７０  ＭＦレシーバ部（認識手段）
【図１】
0003888398.tif 000002
【図２】
0003888398.tif 000003
【図３】
0003888398.tif 000004
【図４】
0003888398.tif 000005
【図５】
0003888398.tif 000006
【図６】
0003888398.tif 000007
【図７】
0003888398.tif 000008
【図８】
0003888398.tif 000009
【図９】
0003888398.tif 000010
【図１０】
0003888398.tif 000011
【図１１】
0003888398.tif 000012
【図１２】
0003888398.tif 000013
【図１３】
0003888398.tif 000014
【図１４】
0003888398.tif 000015
【図１５】
0003888398.tif 000016
【図１６】
0003888398.tif 000017
【図１７】
0003888398.tif 000018
【図１８】
0003888398.tif 000019
【図１９】
0003888398.tif 000020
【図２０】
0003888398.tif 000021